(57)【特許請求の範囲】
【請求項１】
（ａ）所定のピッチでタイミングマークが付与された連続する媒体に対して、印字データに従って印字を行う印字部と、
（ｂ）印字が終了したときに、媒体を所定の切断箇所で切断して、発行媒体を形成する媒体切断部と、
（ｃ）前記所定の切断箇所で媒体が切断されたときに、前記媒体に対して、前記所定の切断箇所から次のタイミングマークに対応する切断箇所までの領域の残長分の改行を行い、前記次のタイミングマークに対応する切断箇所で前記媒体が切断された場合の、前記所定の切断箇所と前記次のタイミングマークに対応する切断箇所とによって形成される残長片が、搬送可能な長さを有するかどうかを判断する残長片判断処理手段と、
（ｄ）前記残長片が搬送可能な長さを有する場合、前記次のタイミングマークに対応する切断箇所を次の切断箇所として設定し、前記残長片が搬送可能な長さを有しない場合、更に次のタイミングマークに対応する切断箇所を次の切断箇所として設定する切断箇所設定処理手段とを有することを特徴とする媒体取扱装置。
【請求項２】
前記残長片判断処理手段は、前記所定の切断箇所で媒体が切断されてから、次のタイミングマークが検出されるまでの媒体における改行量が設定値より大きいかどうかによって、前記残長片が搬送可能な長さを有するかどうかを判断する請求項１に記載の媒体取扱装置。
【発明の詳細な説明】
【０００１】
【発明の属する技術分野】
本発明は、媒体取扱装置に関するものである。
【０００２】
【従来の技術】
従来、金融機関、流通機構等に設置される現金自動取扱装置には、現金の取扱い、公共料金の支払い等の取引きが行われたときに、取引データに従って取引き内容を表す明細書を発行する媒体取扱装置が配設されている。そして、前記明細書に使用される媒体には、タイミングマークが付与されているとともに、綴（つづ）り穴及びミシン目が形成され、一つの取引き分の明細書の長さは一定である。
【０００３】
図２は従来の媒体の例を示す図である。
【０００４】
図において、５０は媒体、５１は該媒体５０に印字することによって付与されたタイミングマーク、５２はミシン目、５３は綴り穴である。
【０００５】
ところで、前記取引きが行われるのに伴って、カードが使用されることが多い。そこで、前記媒体取扱装置は、明細書を発行するための明細書発行機構、及びカードを取り扱うカード取扱機構を備える。そして、上位装置から送信された印字データを受信すると、前記明細書発行機構において、媒体供給部に装填（てん）されているロール状の媒体５０が媒体搬送路に繰り出され、印字部に送られる。続いて、該印字部において、前記印字データに従って印字が行われ、印字が行われた媒体５０は、媒体切断部に送られ、該媒体切断部においてミシン目５２で切断されて明細書になる。そして、該明細書は顧客受取口に排出される。
【０００６】
なお、媒体取扱装置を小型化するために、また、明細書をカードと共に重ねて排出することができるように、前記カード取扱機構の上に明細書発行機構が載置される。
【０００７】
【発明が解決しようとする課題】
しかしながら、前記従来の媒体取扱装置においては、取引データの量が多くなるのに伴って印字データの量が多くなったときに、明細書上における印字領域を広くしようとすると、タイミングマーク５１及びミシン目５２のピッチを長くする必要がある。
【０００８】
したがって、取引データの量が異なる取引きの種類ごとにタイミングマーク５１及びミシン目５２のピッチを異ならせて形成された媒体が必要になり、媒体の管理が極めて煩雑になってしまう。
【０００９】
本発明は、前記従来の媒体取扱装置の問題点を解決して、取引データの量が多くなったときに、媒体を容易に管理することができる媒体取扱装置を提供することを目的とする。
【００１０】
【課題を解決するための手段】
そのために、本発明の媒体取扱装置においては、所定のピッチでタイミングマークが付与された連続する媒体に対して、印字データに従って印字を行う印字部と、印字が終了したときに、媒体を所定の切断箇所で切断して、発行媒体を形成する媒体切断部と、前記所定の切断箇所で媒体が切断されたときに、前記媒体に対して、前記所定の切断箇所から次のタイミングマークに対応する切断箇所までの領域の残長分の改行を行い、前記次のタイミングマークに対応する切断箇所で前記媒体が切断された場合の、前記所定の切断箇所と前記次のタイミングマークに対応する切断箇所とによって形成される残長片が、搬送可能な長さを有するかどうかを判断する残長片判断処理手段と、前記残長片が搬送可能な長さを有する場合、前記次のタイミングマークに対応する切断箇所を次の切断箇所として設定し、前記残長片が搬送可能な長さを有しない場合、更に次のタイミングマークに対応する切断箇所を次の切断箇所として設定する切断箇所設定処理手段とを有する。
【００１１】
【発明の実施の形態】
以下、本発明の実施の形態について図面を参照しながら詳細に説明する。
【００１２】
図１は本発明の実施の形態における媒体取扱装置の概略図である。
【００１３】
図に示されるように、媒体取扱装置は、現金の取扱い、公共料金の支払い等の取引きが行われたときに、取引データに従って取引き内容を表す発行媒体としての図示されない明細書を発行するための明細書発行機構１０Ａ、及び取引きに伴って使用される図示されないカードを取り扱うカード取扱機構１０Ｂを備え、媒体取扱装置を小型化するために、また、明細書をカードと共に重ねて排出することができるように、前記カード取扱機構１０Ｂの上に明細書発行機構１０Ａが載置される。該明細書発行機構１０Ａにおいて連続する媒体、明細書等を搬送するために媒体搬送路３１が、前記カード取扱機構１０Ｂにおいてカードを搬送するためにカード搬送路３２が配設される。
【００１４】
前記明細書発行機構１０Ａは、媒体を収容するとともに媒体搬送路３１に繰り出す媒体繰出機構部１１Ａ、及び繰り出された媒体に対して処理を施す媒体処理部１１Ｂを備える。そして、前記媒体繰出機構部１１Ａは、搬送方向における媒体搬送路３１の上流側の端部において、媒体を媒体搬送路３１に繰り出す媒体供給部１２、及び補充用のロール状の媒体から成るリール１８を収容する補充媒体収容部１３を備える。また、前記媒体処理部１１Ｂは、前記媒体供給部１２から繰り出された媒体に対して印字を行うサーマルヘッド２５、媒体を所定の位置で切断する媒体切断部２６、前記媒体搬送路３１から分岐させられた分岐路３４と媒体搬送路３１との間で搬送路を切り換える切換ブレード２９を備える。また、前記媒体処理部１１Ｂは、顧客が取り忘れた明細書を前記分岐路３４を介して取り込むための取込部３３を備える。
【００１５】
そして、操作者が、前記リール１８を補充媒体収容部１３にセットすると、検出部３４がリール１８を検出する。続いて、アーム２０が上方に移動させられ、リール１８は媒体供給部１２にセットされる。該媒体供給部１２の下部には、駆動プーリ２１、従動プーリ２４、及び前記駆動プーリ２１と従動プーリ２４との間に張設されたベルト２２が配設され、前記媒体供給部１２にセットされたリール１８はベルト２２上に載置される。そして、検出部４１によってリール１８が検出されると、図示されない制御部は、図示されない駆動モータを駆動し、駆動プーリ２１を回転させ、ベルト２２を走行させる。その結果、リール１８から媒体が繰り出され、分離ガイド２３の下方を通過して媒体搬送路３１に送られる。
【００１６】
前記媒体処理部１１Ｂにおいて、媒体は媒体搬送路３１に臨ませて回転自在に配設されたローラＲ１〜Ｒ３によって搬送される。また、媒体の搬送方向における上流側から下流側にかけて、センサ４２、サーマルヘッド２５及びプラテン２７、媒体切断部２６、センサ４３が媒体搬送路３１に臨ませて順に配設される。
【００１７】
そして、センサ４２によって媒体の前端が検出されると、前記制御部は、図示されない搬送モータを駆動し、プラテン２７及びローラＲ１を回転させ、前記媒体をローラＲ１によって挟持してサーマルヘッド２５及びプラテン２７によって構成される印字部に送る。該印字部においては、サーマルヘッド２５が駆動され、前記媒体に対して、取引データに基づいて作成され、図示されない上位装置から送信された印字データに従って印字を行う。
【００１８】
また、前記媒体切断部２６は、印字部において印字が終了した後の媒体を所定の一つの取引き分の長さで切断し、明細書を形成する。そして、該明細書は、ローラＲ２、Ｒ３によって挟持されて搬送され、排出口１６に排出される。また、顧客が明細書を取り忘れると、排出口１６に配設された図示されないセンサによって明細書が取り忘れられた旨が検出され、制御部は、図示されない切替用の駆動モータを駆動し、切換ブレード２９を切り替え、明細書を媒体搬送路３１及び分岐路３４を介して取込部３３に送り、取り込む。
【００１９】
なお、前記センサ４３は、媒体に付与された後述されるタイミングマークの位置を検出し、前記媒体を切断するための長さを管理する。
【００２０】
また、取引きが終了するのに伴ってカードが明細書と共に排出口１６に排出されるが、顧客がカードを取り忘れると、排出口１６に配設された前記センサによってカードが取り忘れられた旨が検出され、カードは、カード搬送路３２を介してカード取込部１５に送られ、取り込まれる。なお、１４は前記カードに記録された情報を読み取る読取部である。
【００２１】
次に、前記構成の媒体取扱装置の動作について説明する。
【００２２】
図３は本発明の実施の形態における媒体取扱装置の動作を示すフローチャート、図４は本発明の実施の形態における媒体の例を示す図である。
【００２３】
図４において、６０は媒体、５１、５１ａ、５１ｂは該媒体６０に印字によって付与されたタイミングマーク、６２は切断箇所、５３は綴り穴、６０ａ、６０ｃは明細書となる一つの取引き分の領域、６０ｂは残長片となる残長分の領域である。
【００２４】
まず、前記媒体６０が媒体繰出機構部１１Ａ（図１）から繰り出されると、制御部の図示されない印字処理手段は、印字処理を行い、前記搬送モータを駆動してプラテン２７及びローラＲ１を回転させ、サーマルヘッド２５を駆動し、印字データに従って、搬送された媒体６０に対して印字を行う。そして、印字が終了すると、前記制御部は、搬送モータを駆動してプラテン２７及びローラＲ１を回転させ、必要な余白分の改行を行って、切断箇所６２を媒体切断部２６の位置に送り、前記切断箇所６２で媒体６０を切断する。その結果、領域６０ａにおいて、一つの取引き分の明細書が形成される。
【００２５】
次に、前記制御部は、搬送モータを駆動してローラＲ２、Ｒ３を回転させ、媒体搬送路３１に沿って明細書を搬送し、排出口１６に排出する。
【００２６】
ところで、取引データが多く、したがって、印字データの量が多い場合、図４に示されるように、領域６０ａは次のタイミングマーク５１ａを越えて長く設定され、（更に）次のタイミングマーク５１ｂに対応する（タイミングマーク５１ｂの直前の）切断箇所６２までの領域、すなわち、残長分の領域６０ｂがその分短くなる。そこで、制御部の図示されない残長片判断処理手段は、残長片判断処理を行い、搬送モータを駆動してプラテン２７及びローラＲ１を回転させ、残長分の改行を行い、仮に、タイミングマーク５１ｂに対応する切断箇所６２で媒体６０を切断したときに形成される残長片を搬送することができるかどうか、すなわち、残長片が搬送可能な長さを有するかどうかを判断する。
【００２７】
そのために、前記残長片判断処理手段は、切断箇所６２で媒体６０が切断されてから、次のタイミングマーク５１ｂが検出されるまでの媒体６０の改行量を読み込み、該改行量が設定値より大きいかどうかを判断する。そして、改行量が設定値より大きく、残長片が搬送可能な長さを有する場合、前記制御部の図示されない切断箇所設定処理手段は、切断箇所設定処理を行い、タイミングマーク５１ｂに対応する切断箇所６２を次の切断箇所として設定する。また、改行量が設定値以下であり、残長片が搬送可能な長さを有しない場合、前記切断箇所設定処理手段は、図示されない更に次のタイミングマークに対応する切断箇所を次の切断箇所として設定する。なお、前記設定値は、ローラＲ１とプラテン２７との間の距離、プラテン２７とローラＲ２との間の距離、及びローラＲ２、Ｒ３間の距離のうちの最も長いものに対応させて設定される。また、前記改行量は、例えば、媒体６０を搬送するための搬送モータの回転数に基づいて算出される。
【００２８】
そして、前記制御部は、搬送モータを駆動してプラテン２７及びローラＲ１を回転させ、媒体６０を媒体切断部２６に送り、設定された切断箇所６２を媒体切断部２６の位置に置く。該媒体切断部２６は、前記切断箇所６２で媒体６０を切断し、残長片、又は残長分に一つの取引き分を加えた長さの残長調整片を形成する。
【００２９】
続いて、前記制御部の図示されない取込処理手段は、残長片又は残長調整片を取込部３３に取り込む。
【００３０】
このように、本実施の形態においては、印字データに対応させて設定された切断箇所６２で媒体６０が切断されるので、取引データの量が多くなるのに伴って印字データの量が多くなったときに、タイミングマークのピッチを長くする必要がない。したがって、取引データの量が異なる取引きの種類ごとにタイミングマークのピッチを異ならせて形成された媒体が不要になり、媒体６０を容易に管理することができる。
【００３１】
また、搬送可能な長さを有しない残長片が搬送されることがないので、紙詰（づま）り等が発生するのを防止することができる。
【００３２】
次に、フローチャートについて説明する。
ステップＳ１  印字データに従って印字を行う。
ステップＳ２  余白分の改行を行う。
ステップＳ３  媒体６０を切断する。
ステップＳ４  明細書を搬送する。
ステップＳ５  明細書を排出する。
ステップＳ６  残長分を改行する。
ステップＳ７  残長片が搬送可能な長さを有するかどうかを判断する。残長片が搬送可能な長さを有する場合はステップＳ８に、有しない場合はステップＳ１０に進む。
ステップＳ８  媒体６０を切断する。
ステップＳ９  残長片を取り込み、処理を終了する。
ステップＳ１０  一つの取引き分の改行を行う。
ステップＳ１１  媒体６０を切断する。
ステップＳ１２  残長調整片を取り込み、処理を終了する。
【００３３】
本実施の形態において、前記残長片判断処理手段は、切断箇所６２で媒体６０が切断されてから、次のタイミングマークが検出されるまでの媒体６０の改行量を読み込み、該改行量が設定値より大きいかどうかを判断するようにしているが、切断箇所６２で媒体６０が切断されたときに、一つ前のタイミングマークが検出されてから、前記切断箇所６２で媒体６０が切断されるまでの改行量を読み込み、該改行量が設定値より小さいかどうかを判断することもできる。
【００３４】
なお、本発明は前記実施の形態に限定されるものではなく、本発明の趣旨に基づいて種々変形させることが可能であり、それらを本発明の範囲から排除するものではない。
【００３５】
【発明の効果】
以上詳細に説明したように、本発明によれば、媒体取扱装置においては、所定のピッチでタイミングマークが付与された連続する媒体に対して、印字データに従って印字を行う印字部と、印字が終了したときに、媒体を所定の切断箇所で切断して、発行媒体を形成する媒体切断部と、前記所定の切断箇所で媒体が切断されたときに、前記媒体に対して、前記所定の切断箇所から次のタイミングマークに対応する切断箇所までの領域の残長分の改行を行い、前記次のタイミングマークに対応する切断箇所で前記媒体が切断された場合の、前記所定の切断箇所と前記次のタイミングマークに対応する切断箇所とによって形成される残長片が、搬送可能な長さを有するかどうかを判断する残長片判断処理手段と、前記残長片が搬送可能な長さを有する場合、前記次のタイミングマークに対応する切断箇所を次の切断箇所として設定し、前記残長片が搬送可能な長さを有しない場合、更に次のタイミングマークに対応する切断箇所を次の切断箇所として設定する切断箇所設定処理手段とを有する。
【００３６】
この場合、取引データの量が多くなるのに伴って印字データの量が多くなっても、印字データに対応させて設定された切断箇所で媒体が切断されるので、取引データの量が異なる取引きの種類ごとにタイミングマークのピッチを異ならせて形成された媒体が不要になり、媒体を容易に管理することができる。
【００３７】
また、切断に伴って形成される残長片が、搬送可能な長さを有するかどうかが判断され、判断結果に基づいて、次の切断箇所が設定されるので、搬送可能な長さを有しない残長片が搬送されることがなく、紙詰り等が発生するのを防止することができる。
【図面の簡単な説明】
【図１】本発明の実施の形態における媒体取扱装置の概略図である。
【図２】従来の媒体の例を示す図である。
【図３】本発明の実施の形態における媒体取扱装置の動作を示すフローチャートである。
【図４】本発明の実施の形態における媒体の例を示す図である。
【符号の説明】
２５    サーマルヘッド
２６    媒体切断部
２７    プラテン
５１、５１ａ、５１ｂ    タイミングマーク
６０    媒体
６２    切断箇所
【図１】
0004534391.tif 000002
【図２】
0004534391.tif 000003
【図３】
0004534391.tif 000004
【図４】
0004534391.tif 000005